(57)【要約】      （修正有）【課題】既存のスライドファスナーに強固に取り付けが出来、誰でも簡単に操作が出来、更に、色々な装飾物を着脱可能なスライドファスナー用スライダーを提供する。【解決手段】左右一対の半支柱１１ａ、１１ｂは、収容空間を有する支柱を軸方向に沿って２つに分割した形状である。挿通突起部１２は、一方の半支柱の収容空間に凸状に設けられ、引手取付部の穴の間に挿通可能である。挿通溝部１３は、他方の半支柱の収容空間に凹状に設けられ、挿通突起部の先端が装着可能である。装着突起部１４は、一方の半支柱の分割面に設けられ、凸状に突出している。装着溝部１５は、他方の半支柱の分割面に設けられ、凹状に凹んでおり、装着突起部が装着可能である。合体突起部１６ａ、１６ｂは、左右一対の半支柱が分割面で合わさった状態で、支柱の上面に凸状に設けられる。装飾部は、合体溝部を備え、支柱の合体突起部に装着される。【選択図】図５
0003226278.tif 000002
【実用新案登録請求の範囲】
【請求項１】
左右一対のファスナーエレメント列を結合したり解除したりするスライドファスナーの引手取付部に装着されるスライドファスナー用スライダーであって、
装着部と、装飾部と、を備え、
前記装着部は、
底面に前記引手取付部を収容する収容空間を有し、前記底面が前記スライドファスナーの上面に設置可能な支柱を軸方向に沿って２つに分割した形状である左右一対の半支柱と、
前記左右一対の半支柱のうち、一方の半支柱の収容空間の側面に凸状に設けられ、前記引手取付部の穴の間に挿通可能な挿通突起部と、
前記左右一対の半支柱のうち、他方の半支柱の収容空間の側面に凹状に設けられ、前記挿通突起部の先端が装着可能な挿通溝部と、
前記左右一対の半支柱のうち、一方の半支柱の分割面に設けられ、凸状に突出した装着突起部と、
前記左右一対の半支柱のうち、他方の半支柱の分割面に設けられ、凹状に凹んでおり、前記装着突起部が装着可能な装着溝部と、
前記左右一対の半支柱が分割面で合わさった状態で、前記左右一対の半支柱で構成される上面に凸状に設けられる合体突起部と、
を備え、
前記装飾部は、
前記装飾部の底面に凹状に凹んで設けられた合体溝部を備え、
前記左右一対の半円柱を前記引手取付部の左右側から配置して、前記左右一対の半円柱を分割面で合わせると、前記左右一対の半円柱の収容空間に前記引手取付部が収容された状態で、前記左右一対の半円柱の底面が前記スライドファスナーの上面に接し、前記挿通突起部の先端が前記引手取付部の穴の間に挿通した状態で前記挿通溝部に装着し、前記装着突起部が前記装着溝部に装着して、前記左右一対の半支柱の上面に前記合体突起部を設け、前記装飾部の合体溝部を前記合体突起部に装着することで、前記装飾部が前記装着部に装着される、
スライドファスナー用スライダー。
【考案の詳細な説明】
【技術分野】
【０００１】
本考案は、スライドファスナー用スライダーに関する。
【背景技術】
【０００２】
従来より、スライドファスナーに装飾物を付けてファッション性を高める技術が存在する。例えば、米国特許第２１４８７５７号明細書（特許文献１）には、ドーム状のパーツに設けられ、スライドファスナーの引手取付部を把持する一対のアームを備えたスライディングユニットが開示されている。これにより、掴み易さや操作性を向上させることが出来るとしている。
【０００３】
又、国際公開第２０１７／１５０７００号明細書（特許文献２）には、スライダー本体と、スライダー本体に設けられる把持部材とを備え、使用者が把持部材を把持してスライダー本体を一対のファスナーエレメント列に沿ってスライドさせることにより、ファスナーエレメント列同士を噛合又は分離可能なスライドファスナー用スライダーが開示されている。このスライドファスナー用スライダーでは、把持部材は、スライダー本体に対して、スライド方向と直交する方向に分離可能に固定され、スライダー本体の全周からはみ出す大きさとされている。これにより、操作性を良好にしつつ意匠性の向上が容易になるとしている。
【０００４】
又、実開平７−１０９号公報（特許文献３）には、摺動して左右の務歯列を咬合開離するスライドファスナー用スライダーが開示されている。このスライドファスナー用スライダーは、取付支柱と、摘みと、を備え、取付支柱は、スライダーの本体の上面に突出して設けられ、少なくとも先端部分は、対向面が左右又は前後に離れる形状に分割形成されてなる分割片とされ、摘みは、底面側に取付支柱の分割片が嵌合する嵌込み孔が形成され、嵌込み孔の内部において取付支柱の分割片が対向方向に圧縮されて取付支柱に取り付けられている。これにより、容易にスライドファスナーの開閉が行えるとともに、暗所でも容易にスライダーの位置の確認ができ、スライドファスナーを鞄や衣服等に用いても、鞄や衣服等の全体の意匠性を損なわないとしている。
【０００５】
又、実開昭６２−５００８号公報（特許文献４）には、上翼片と、下翼片と、上翼片と下翼片にアクセサリー等からなる装飾体を取り付けられるようにしたスライドファスナー用スライダーが開示されている。このスライドファスナー用スライダーでは、上翼片の略中央部に、直立の柱と水平係止片とを有する係止体を突出して設け、上翼片の上面を装飾体の添接面とし、添接面と係止体の柱と水平係止片とで装飾体が嵌着する嵌着凹部を形成している。これにより、装飾体をスライダーに嵌着した際に、装飾体がぐらつかず、かつ外れが起こらず安定した状態に嵌着されるという効果の他、嵌着力が増大したにもかかわらずスライダー口厚が狭くなる恐れが全くないと共に、装飾体を自在に取替えることが出来るとしている。
【先行技術文献】
【特許文献】
【０００６】
【特許文献１】米国特許第２１４８７５７号明細書
【特許文献２】国際公開第２０１７／１５０７００号明細書
【特許文献３】実開平７−１０９号公報
【特許文献４】実開昭６２−５００８号公報
【考案の概要】
【考案が解決しようとする課題】
【０００７】
ここで、既存のスライドファスナーに装飾物を取り付ける場合、既存のスライドファスナーの引手取付部は、通常、コの字状であるため、引手取付部のコの字状の穴に紐を通す方法が殆どである。この場合、装飾物は紐にぶら下がる形態となり、装飾物が何かに引っ掛かると、紐が千切れて、装飾物が直ぐに外れてしまうという課題がある。既存のスライドファスナーの引手取付部の左右側から把持部で把持して装飾物を取り付ける方法もあるが、この場合、装飾物が何かに引っ掛かると、把持部の把持が引手取付部から解消され、装飾物が直ぐに外れてしまうという課題がある。その他に、装飾物を着脱可能な専用のスライドファスナーを用いる方法もあるが、この場合、汎用性に乏しく、気軽にスライドファスナーを装飾出来ないという課題がある。
【０００８】
特許文献１に記載の発明では、引手取付部の左右側から把持部で把持する方法であるため、装飾物が外れ易いという課題がある。特許文献２−４に記載の発明では、専用のスライドファスナーを必要とするため、汎用性に乏しいという課題がある。
【０００９】
そこで、本考案は、課題を解決するためになされたものであり、既存のスライドファスナーに強固に取り付けることが出来て、幼児やお年寄り等でも簡単にスライドファスナーを操作することが出来るようになり、更に、色々な装飾物を着脱することが可能なスライドファスナー用スライダーを提供することを目的とする。
【課題を解決するための手段】
【００１０】
本考案者は、鋭意研究を重ねた結果、本考案に係る新規なスライドファスナー用スライダーを完成させた。即ち、本考案に係るスライドファスナー用スライダーは、左右一対のファスナーエレメント列を結合したり解除したりするスライドファスナーの引手取付部に装着されるスライドファスナー用スライダーであって、装着部と、装飾部と、を備える。装着部は、左右一対の半支柱と、挿通突起部と、挿通溝部と、装着突起部と、装着溝部と、合体突起部と、を備える。左右一対の半支柱は、底面に前記引手取付部を収容する収容空間を有し、前記底面が前記スライドファスナーの上面に設置可能な支柱を軸方向に沿って２つに分割した形状である。挿通突起部は、前記左右一対の半支柱のうち、一方の半支柱の収容空間の側面に凸状に設けられ、前記引手取付部の穴の間に挿通可能である。挿通溝部は、前記左右一対の半支柱のうち、他方の半支柱の収容空間の側面に凹状に設けられ、前記挿通突起部の先端が装着可能である。装着突起部は、前記左右一対の半支柱のうち、一方の半支柱の分割面に設けられ、凸状に突出している。装着溝部は、前記左右一対の半支柱のうち、他方の半支柱の分割面に設けられ、凹状に凹んでおり、前記装着突起部が装着可能である。合体突起部は、前記左右一対の半支柱が分割面で合わさった状態で、前記左右一対の半支柱で構成される上面に凸状に設けられる。装飾部は、装飾部の底面に凹状に凹んで設けられた合体溝部を備える。
【００１１】
スライドファスナー用スライダーは、前記左右一対の半支柱を前記引手取付部の左右側から配置して、前記左右一対の半支柱を分割面で合わせると、前記引手取付部が収容空間に収容され、前記挿通突起部の先端が前記引手取付部の穴の間に挿通した状態で前記挿通溝部に装着し、前記装着突起部が前記装着溝部に装着して、前記左右一対の半支柱の上面に前記合体突起部を設け、前記装飾部の合体溝部を前記合体突起部に装着することで、前記装飾部が前記装着部に装着される。
【考案の効果】
【００１２】
本考案によれば、既存のスライドファスナーに強固に取り付けることが出来て、幼児やお年寄り等でも簡単にスライドファスナーを操作することが出来るようになり、更に、色々な装飾物を着脱することが可能となる。
【図面の簡単な説明】
【００１３】
【図１】本考案の実施形態に係るスライドファスナー用スライダーの装着部の斜視図と、平面図と、正面図と、右側面図と、である。
【図２】本考案の実施形態に係るスライドファスナー用スライダーの装着部のＡ−Ａ線断面図と、Ｂ−Ｂ線断面図と、Ｃ−Ｃ線断面図と、Ｄ−Ｄ線断面図と、である。
【図３】本考案の実施形態に係るスライドファスナー用スライダーの装着部の背面図と、左側面図と、底面図と、である。
【図４】本考案の実施形態に係るスライドファスナー用スライダーの装着部の底面斜視図と、平面斜視図と、スライドファスナー用スライダーの装飾部の平面斜視図と、底面斜視図と、である。
【図５】本考案の実施形態に係るスライドファスナー用スライダーの装着部をスライドファスナーの引手取付部に装着する場合の平面斜視図と、断面図と、である。
【図６】本考案の実施形態に係るスライドファスナー用スライダーの装飾部を装着部に装着する場合の平面斜視図と、断面図と、である。
【図７】本考案の実施形態に係るスライドファスナー用スライダーの左右一対の半支柱が半四角柱と半多角柱の場合の例を示す平面斜視図と、合体突起部が四角筒であり、合体溝部が四角筒である場合の例を示す平面斜視図と、である。
【図８】本考案の実施形態に係るスライドファスナー用スライダーの合体突起部が、左右一対の半支柱と別に構成された場合の例を示す平面斜視図と、合体突起部の把持部を左右一対の半支柱の突起部に装着する場合の例を示す平面斜視図と、装飾部の合体溝部を装着部の合体突起部に装着する場合の平面斜視図と、である。
【図９】本考案の実施形態に係るスライドファスナー用スライダーの装着部において様々な形状の挿通突起部の例を示す平面斜視図である。
【図１０】本考案の実施形態に係るスライドファスナー用スライダーにおいて様々な形状の装飾部の例を示す平面斜視図である。
【図１１】本考案の実施形態に係るスライドファスナー用スライダーの合体溝部が、スライド式の把持形状であり、合体突起部が円筒状と四角筒状である場合の例を示す平面斜視図である。
【考案を実施するための形態】
【００１４】
以下に、添付図面を参照して、本考案の実施形態について説明し、本考案の理解に供する。尚、以下の実施形態は、本考案を具体化した一例であって、本考案の技術的範囲を限定する性格のものではない。
【００１５】
本考案は、図１−図４に示すように、左右一対のファスナーエレメント列を結合したり解除したりするスライドファスナーの引手取付部に装着されるスライドファスナー用スライダー１であって、装着部１０と、装飾部２０と、を備える。
【００１６】
装着部１０は、左右一対の半支柱１１ａ、１１ｂと、挿通突起部１２と、挿通溝部１３と、装着突起部１４と、装着溝部１５と、合体突起部１６ａ、１６ｂと、を備える。
【００１７】
左右一対の半支柱１１ａ、１１ｂは、底面に引手取付部を収容する収容空間Ｓを有し、底面がスライドファスナーの上面に設置可能な支柱を軸方向に沿って２つに分割した形状である。図１−４では、左右一対の半支柱１１ａ、１１ｂは、円柱を軸方向に沿って２つに分割した形状である。
【００１８】
挿通突起部１２は、左右一対の半支柱１１ａ、１１ｂのうち、一方の半支柱の収容空間Ｓの側面に凸状に設けられ、引手取付部の穴の間に挿通可能である。挿通溝部１３は、左右一対の半支柱１１ａ、１１ｂのうち、他方の半支柱の収容空間Ｓの側面に凹状に設けられ、挿通突起部１２の先端が装着可能である。
【００１９】
装着突起部１４は、左右一対の半支柱のうち、一方の半支柱の分割面に設けられ、凸状に突出している。装着溝部１５は、左右一対の半支柱のうち、他方の半支柱の分割面に設けられ、凹状に凹んでおり、装着突起部１４が装着可能である。
【００２０】
合体突起部１６ａ、１６ｂは、左右一対の半支柱１１ａ、１１ｂが分割面で合わさった状態で、左右一対の半支柱１１ａ、１１ｂで構成される上面に凸状に設けられる。図１−図４では、合体突起部１６ａ、１６ｂは、円筒を軸方向に沿って２つに分割した形状であり、左右一対の半支柱１１ａ、１１ｂのそれぞれの上面に設けられた左右一対の半円筒である。
【００２１】
又、装飾部２０は、装飾部２０の底面に凹状に凹んで設けられた合体溝部２１を備えている。図１−図４では、合体溝部２１は、装飾部２０の底面に円筒状に設けられている。
【００２２】
ここで、本考案に係るスライドファスナー用スライダー１は、図５、図６に示すように、左右一対の半支柱１１ａ、１１ｂを、スライドファスナー３０の引手取付部３１の左右側から配置して、左右一対の半支柱１１ａ、１１ｂを分割面で合わせると、左右一対の半支柱１１ａ、１１ｂの収容空間Ｓに引手取付部３１が収容された状態で、左右一対の半支柱１１ａ、１１ｂの底面がスライドファスナー３０の上面に接し、挿通突起部１２の先端が引手取付部３１の穴の間に挿通した状態で挿通溝部１３に装着し、装着突起部１４が装着溝部１５に装着して、左右一対の半支柱１１ａ、１１ｂの上面に合体突起部１６ａ、１６ｂを設ける。図５、図６では、装着突起部１４が装着溝部１５に装着することで、左右一対の半円筒１６ａ、１６ｂが、合体突起部となる。装飾部２０の合体溝部２１を合体突起部１６ａ、１６ｂに装着することで、装飾部２０が装着部１０に装着される。
【００２３】
これにより、既存のスライドファスナーに強固に取り付けることが出来て、幼児やお年寄り等でも簡単にスライドファスナーを操作することが出来るようになり、更に、色々な装飾物を着脱することが可能となる。
【００２４】
即ち、本考案では、左右一対の半支柱１１ａ、１１ｂを引手取付部３１の左右側から配置して分割面で合わせるだけで、引手取付部３１が収容空間Ｓに入り、挿通突起部１２の先端が引手取付部３１の穴の間に入って挿通溝部１３に装着され、装着突起部１４が装着溝部１５に装着される。このように、挿通突起部１２の装着と装着突起部１４の装着の二重の装着により、装着部１０が引手取付部３１に装着されることで、既存のスライドファスナー３０に強固に取り付けることが可能となる。
【００２５】
尚、図１−図６では、引手取付部３１に対する装着部１０の装着によって、左右一対の半円筒１６ａ、１６ｂが、合体突起部として初めて形成され、この合体突起部１６ａ、１６ｂに装飾部２０の合体溝部２１を装着することで、装飾部２０を装着部１０に装着することが出来る。つまり、装着部１０が引手取付部３１に適切に装着することが出来ないと、装飾部２０を装着部１０に装着することが出来ない構成としている。更に、装飾部２０の合体溝部２１を装着部１０の合体突起部１６ａ、１６ｂから外さなければ、装着部１０を引手取付部３１から外すことが出来ない構成としている。これにより、既存のスライドファスナー３０に更に強固に取り付けることが可能となる。
【００２６】
ここで、左右一対の半支柱１１ａ、１１ｂで形成される支柱の底面は、引手取付部３１が収容空間Ｓに収容された状態で、スライドファスナー３０の上面に接して、左右一対の半支柱１１ａ、１１ｂで形成される支柱は、スライドファスナー３０の上面に強固に固定され、その上で、装着部１０がスライドファスナー３０に装着される。このような構成とすることで、装着部１０はスライドファスナー３０と一体化する。すると、幼児やお年寄り等が、装飾部２０を持ってスライドさせると、装飾部２０に掛かった力が、一体化した装着部１０を介してスライドファスナー３にそのまま伝わり、スライドファスナー３をスライドさせ易くする。これにより、スライドファスナー３０の操作性を高めることが出来る。
【００２７】
更に、装飾部２０は、底面に合体溝部２１を設けていれば、装着部１０に装着することが出来るため、装飾部２０は、どのような形状であっても良く、又、どのような機能があっても良い。そのため、様々な装飾部２０を構成すれば、既存のスライドファスナー３０に、色々な装飾物を着脱することが可能となる。既存のスライドファスナー３０は、例えば、バッグやリュック、衣服等の既存の商品に存在するため、本考案に係るスライドファスナー用スライダー１を用いれば、既存のスライドファスナー３０を有する既存の商品に取り付けることが出来ることから、ファッション性、機能性を高めることが可能となる。
【００２８】
ここで、左右一対の半支柱１１ａ、１１ｂの形状に特に限定は無く、半円柱に限らず、半楕円柱でも良いし、図７に示すように、半四角柱、半多角柱等を挙げることが出来る。又、左右一対の半支柱１１ａ、１１ｂの形状は、左右対称に限らず、左右非対称であっても良い。左右一対の半支柱１１ａ、１１ｂが分割面で合わさった状態の形状も、円柱に限らず、楕円柱、四角柱、多角柱等の様々な形状を挙げることが出来る。
【００２９】
又、合体突起部１６ａ、１６ｂの形状に特に限定は無く、図１−図６に示すように、左右一対の半円筒に限らず、半楕円筒でも良いし、図７に示すように、半四角筒でも良いし、他の形状として、半多角筒等に構成しても良い。尚、合体溝部２１は、合体突起部１６ａ、１６ｂの形状に応じて、合体突起部１６ａ、１６ｂが装着可能な形状に設計される。又、合体突起部１６ａ、１６ｂには、適宜、スリットを設けて、装飾部２０の合体溝部２１への装着を容易にしても構わないし、合体溝部２１は、適宜、スリットを設けて、上述のように、合体突起部１６ａ、１６ｂとの装着を容易にしても構わない。
【００３０】
又、図１−図７では、合体突起部１６ａ、１６ｂは、所定の筒を軸方向に沿って２つに分割した形状であり、左右一対の半支柱１１ａ、１１ｂのそれぞれの上面に設けられた左右一対の半筒の形状として構成しており、これにより、装着部１０を、部品点数を左右一対の半支柱１１ａ、１１ｂの２点で構成するようにしているが、左右一対の半支柱１１ａ、１１ｂが分割面で合わさった状態で、左右一対の半支柱１１ａ、１１ｂで構成される上面に凸状に設けられれば、合体突起部１６ａ、１６ｂは、どのような構成でも構わない。
【００３１】
例えば、装着部１０は、左右一対の半支柱１１ａ、１１ｂから、合体突起部１６ａ、１６ｂを外して、図８に示すように、部品点数を左右一対の半支柱１１ａ、１１ｂと合体突起部１６ｃとの３点で構成するようにしても構わない。具体的には、装着部１０は、左右一対の半支柱１１ａ、１１ｂとは別に、合体突起部１６ｃを備え、合体突起部１６ｃは、左右一対の半支柱１１ａ、１１ｂが分割面で合わさった状態で、左右一対の半支柱１１ａ、１１ｂの両側面のいずれかから把持可能な把持部１６ｄの上面に設けられる。
【００３２】
尚、図８では、左右一対の半支柱１１ａ、１１ｂが有する収容空間Ｓは、引手取付部３１を収容すると、引手取付部３１の上面が露出するように構成されているが、引手取付部３１が露出しないように構成しても良い。
【００３３】
又、挿通突起部１２は、他方の半円柱１１ａ（例えば、左の半支柱）に設けられ、挿通溝部１３は、一方の半円柱１１ｂ（例えば、右の半支柱）に設けられる。挿通溝部１３は、挿通突起部１２を両側面から把持する形状として構成されている。又、装着突起部１４は、他方の半円柱１１ａのうち、一方の半円柱１１ｂに対して両側面から突出して設けられ、装着溝部１５は、一方の半円柱１１ｂのうち、他方の半円柱１１ａに対して両側面から凹んで設けられ、装着突起部１４は、装着溝部１５に装着可能である。
【００３４】
左右一対の半支柱１１ａ、１１ｂの側面の上方のそれぞれには、左右一対の突出部１１ａ１、１１ｂ１のそれぞれが設けられ、左右一対の半支柱１１ａ、１１ｂが分割面で合わさった状態で、把持部１６ｄが、左右一対の半支柱１１ａ、１１ｂの両側面のいずれかから左右一対の突出部１１ａ１、１１ｂ１のそれぞれを把持可能に設けられる。
【００３５】
そして、左右一対の半支柱１１ａ、１１ｂを、引手取付部３１の左右側から配置して、左右一対の半支柱１１ａ、１１ｂを分割面で合わせ、収容空間Ｓに引手取付部３１が収容させた状態で、左右一対の半支柱１１ａ、１１ｂの底面をスライドファスナー３０の上面に当接させる。そして、挿通突起部１２の先端を引手取付部３１の穴の間に挿通した状態で挿通溝部１３に装着させ、装着突起部１４を装着溝部１５に装着して、左右一対の半支柱１１ａ、１１ｂの左右一対の突出部１１ａ１、１１ｂ１に対して把持部１６ｄをスライドさせて把持させることで、左右一対の半支柱１１ａ、１１ｂの上面に合体突起部１６ｃを設ける。最後に、装飾部２０の合体溝部２１を合体突起部１６ｃに装着することで、装飾部２０が装着部１０に装着される。このように構成しても、同様の作用効果を得ることが出来る。
【００３６】
又、左右一対の半支柱１１ａ、１１ｂの収容空間Ｓのサイズに特に限定は無く、引手取付部３１と同等のサイズであっても、引手取付部３１を含む広いサイズであっても良いし、図８に示すように、引手取手部３１よりも狭いサイズであって、引手取手部３１の上面が露出するサイズであっても構わない。
【００３７】
又、挿通突起部１２の形状に特に限定は無く、図１−図４に示すように、円柱状であっても良いし、図９に示すように、略直方体状であっても良いし、四角柱状や多角柱状であっても良い。又、挿通突起部１２の形状は、挿通溝部１３の形状と対応させて、図９に示すように、挿通突起部１２の形状を雌型の凹状にし、挿通溝部１３の形状を雄型の凸状にしても良いし、これらの逆の形状にしても構わない。更に、挿通突起部１２の形状は、一方の半円柱の収容空間Ｓの側面に着脱可能な円柱状にしても構わない。特に、挿通突起部１２の形状は、様々な既存の引手取付部３１の形状に合わせて構成することで、様々な既存のスライドファスナー３０に取り付けることが可能となる。
【００３８】
又、挿通突起部１２の先端の形状に特に限定は無いが、例えば、先端の形状を聊か膨出させた形状にすることで、挿通突起部１２の先端を挿通溝部１３に装着した際に、強固に装着することが可能となる。
【００３９】
又、装着突起部１４の形状に特に限定は無く、図１−図４に示すように、略直方体状であっても良いし、円柱状であっても良いし、四角柱状や多角柱状であっても良い。
【００４０】
又、装着突起部１４の設置位置と装着溝部１５の設置位置に特に限定は無く、図１−図４に示すように、装着突起部１４の設置位置は、一方の半円柱１１ｂの分割面の上方に設けられ、装着溝部１５の設置位置は、装着突起部１４の設置位置に対応して、他方の半円柱１１ａの分割面の上方に設けられても良いし、分割面の右方や左方等、他の設置位置でも良い。又、装着突起部１４は、図８に示すように、左右一対の半支柱１１ａ、１１ｂのいずれかの両側面に設けても良いし、装着溝部１５も、同様に、左右一対の半支柱１１ａ、１１ｂのいずれかの両側面に設けても良い。尚、装着突起部１４は、他方の半円柱１１ａに設けられ、装着溝部１５は、一方の半円柱１１ｂに設けられても良い。
【００４１】
又、装着突起部１４の数と装着溝部１５の数に特に限定は無く、一つでも良いし、複数でも良い。例えば、装着突起部１４は、一方の半円柱１１ｂの分割面の上方の設置位置以外に、図１−図４に示すように、他方の半円柱１１ａの分割面の左右方に設けられ、装着溝部１５は、一方の半円柱１１ａの分割面の左右方に設けられても良い。このように、複数の装着突起部１４のうち、第一の装着突起部１４が、一方の半円柱１１ｂの分割面に設けられ、第二の装着突起部１４が、他方の半円柱１１ａの分割面に設けられ、複数の装着溝部１５のうち、第一の装着溝部１５が、他方の半円柱１１ａの分割面に設けられ、第二の装着溝部１５が、一方の半円柱１１ｂの分割面に設けられることで、複数の装着突起部１４の装着形態が交互になり、装着部１０を既存のスライドファスナー３０に更に強固に取り付けることが可能となる。
【００４２】
又、装着突起部１４の先端の形状に特に限定は無いが、例えば、上述のように、先端の形状を聊か膨出させた形状にすることで、装着突起部１４の先端を装着溝部１５に装着した際に、強固に装着することが可能となる。
【００４３】
又、装飾部２０の構成に特に限定は無く、キャラクターを設けて、ファッション性を高めても良いし、図１−図６に示すように、ドーム形状にしたり、図１０に示すように、円盤状にしたりして、幼児やお年寄り等でも簡単に掴める構成にしても良い。又、装飾部２０に、ＬＥＤ等の光源やＧＰＳ等の位置測位装置を内蔵して、機能性を高めても構わない。もちろん、装飾部２０の内部に充電器や電池などの電力装置を設けても構わない。
【００４４】
又、装飾部２０の合体溝部２１の構成に特に限定は無く、図１−図１０に示すように、合体溝部２１の形状が、合体突起部１６ａ、１６ｂ、１６ｃの形状に一致して、合体突起部１６ａ、１６ｂ、１６ｃが合体溝部２１に合致する構成でも良いし、図１１に示すように、合体溝部２１が、合体突起部１６ａ、１６ｂの両側面から把持する形状であっても構わない。この場合、合体溝部２１が、合体突起部１６ａ、１６ｂの両側面のいずれかからスライドして合体突起部１６ａ、１６ｂを把持することで、装着される。合体溝部２１が、スライド式の把持形状の場合は、合体突起部１６ａ、１６ｂの形状は、例えば、円筒状でも良いし、四角筒状でも構わない。合体突起部１６ａ、１６ｂの形状が円筒状の場合は、合体溝部２１が合体突起部１６ａ、１６ｂに装着後、合体突起部１６ａ、１６ｂの外周に沿って回転する。又、合体突起部１６ａ、１６ｂの形状が四角筒状の場合は、合体溝部２１が合体突起部１６ａ、１６ｂに装着後、合体突起部１６ａ、１６ｂの外周に沿って回転することなく、固定される。装飾部２０のデザインに応じて、合体溝部２１の形状や構成は適宜変更しても良い。
【００４５】
尚、本考案の実施形態では、装着部１０に合体突起部１６ａ、１６ｂ、１６ｃを設け、装飾部２０に合体溝部２１に設けたが、両者が逆転していても構わない。
【００４６】
又、本考案の実施形態では、スライドファスナー用スライダー１の構成に、更に、他の機能を追加しても構わない。
【産業上の利用可能性】
【００４７】
以上のように、本考案は、既存のスライドファスナーにファッション性や機能性を付与するスライドファスナー用スライダーとして有用であり、既存のスライドファスナーに強固に取り付けることが出来て、幼児やお年寄り等でも簡単にスライドファスナーを操作することが出来るようになり、更に、色々な装飾物を着脱することが可能なスライドファスナー用スライダーとして有効である。
【符号の説明】
【００４８】
１    スライドファスナー用スライダー
１０  装着部
１１ａ、１１ｂ  左右一対の半支柱
１２  挿通突起部
１３  挿通溝部
１４  装着突起部
１５  装着溝部
１６ａ、１６ｂ  合体突起部
２０  装飾部
２１  合体溝部
【図１】
0003226278.tif 000003
【図２】
0003226278.tif 000004
【図３】
0003226278.tif 000005
【図４】
0003226278.tif 000006
【図５】
0003226278.tif 000007
【図６】
0003226278.tif 000008
【図７】
0003226278.tif 000009
【図８】
0003226278.tif 000010
【図９】
0003226278.tif 000011
【図１０】
0003226278.tif 000012
【図１１】
0003226278.tif 000013